(57)【特許請求の範囲】
【請求項１】
固定撮影開口と、この固定撮影開口内に進退して撮影開口の大きさを変化させるセクター部材と、上記セクター部材の径方向外側に位置し上記撮影開口への有害光の入射を防ぐ筒状部とを有するカメラのセクター装置において、
上記筒状部の少なくとも一部を、上記セクター部材が最大開口位置に移動するとき該セクター部材の外縁部に当接する弾性変形可能なシート状材料から構成したことを特徴とするカメラのセクター装置。
【請求項２】
請求項１記載のカメラのセクター装置において、上記筒状部は、金属または合成樹脂製の本体と、この本体に、セクター部材が当接する部分に対応させて穿設した開口と、この開口を覆う弾性変形可能なシート部材とを有しているカメラのセクター装置。
【請求項３】
請求項２記載のカメラのセクター装置において、シート部材は、その周方向の一端部が筒状部本体の外面に接着され他端部が自由であるカメラのセクター装置。
【請求項４】
請求項２記載のカメラのセクター装置において、シート部材は、その光軸方向の一端部が筒状部本体の外面に接着され他端部が自由であるカメラのセクター装置。
【発明の詳細な説明】
【０００１】
【技術分野】
本発明は、カメラのシャッター装置や絞り装置等のセクター装置に関する。
【０００２】
【従来技術及びその問題点】
カメラのシャッター装置や絞り装置は、複数のセクター部材（シャッタ羽根、絞り羽根）により、撮影開口の大きさを制御している。このセクター装置は一般に、固定撮影開口と、この固定撮影開口内に進退して撮影開口の大きさを変化させるセクター部材と、このセクター部材の径方向外側に位置し撮影開口への有害光の入射を防ぐ筒状部とを備えている。
【０００３】
このセクター装置では、セクター部材と筒状部とが衝突するのを避けるため、セクター部材の最大開口位置で筒状部との間に径方向のクリアランスを設定することが不可欠である。このため、セクター装置の小型化（特に小径化）の妨げになっていた。
【０００４】
【発明の目的】
本発明は、セクター装置の小型化、特に小径化を達成することを目的とする。
【０００５】
【発明の概要】
上記目的を達成するため本発明は、固定撮影開口と、この固定撮影開口内に進退して撮影開口の大きさを変化させるセクター部材と、セクター部材の径方向外側に位置し上記撮影開口への有害光の入射を防ぐ筒状部とを有するカメラのセクター装置において、筒状部の少なくとも一部を、セクター部材が最大開口位置に移動するとき該セクター部材の外縁部に当接する弾性変形可能なシート状材料から構成したことを特徴とする。
【０００６】
筒状部は、金属または合成樹脂製の本体と、この本体に、セクター部材が当接する部分に対応させて穿設した開口と、この開口を覆う弾性変形可能なシート部材とを備えた構造とすることが好ましい。
【０００７】
このシート部材は、その周方向の一端部が筒状部本体の外面に接着され他端部を自由とすることができる。あるいは、シート部材は、その光軸方向の一端部が筒状部本体の外面に接着され他端部を自由としてもよい。
【０００８】
【発明の実施形態】
図１ないし図８は、本発明のカメラのセクター装置の一実施形態を示している。図１、及び図５ないし図７に示すように、セクター装置は、シャッタ支持体（本体）１１とカバー（本体）１２の間にシャッタ羽根（セクター部材）１３を保持した構造となっている。シャッタ支持体１１とカバー１２の内周面側にはそれぞれ、不図示の撮影光学系の光軸Ｏを中心とする円形状の固定撮影開口１４、１５が形成されている。なお、図２ないし図４の正面図では、手前側に位置するシャッタ支持体１１は図示していない。
【０００９】
図２ないし図４に示すように、シャッタ羽根１３は３つ設けられており、該３つのシャッタ羽根１３は、光軸Ｏを中心とする周方向に等間隔でシャッタ支持体１１上に突設した３つの回転支持軸１６に軸支されている。各シャッタ羽根１３には、回転支持軸１６による支持部分付近に円弧状のガイド溝１７が形成されており、各ガイド溝１７に対して、シャッタ支持体１１に設けたシャッタ開閉環（セクター開閉環）２０の開閉ピン２１が嵌合している。シャッタ開閉環２０は光軸Ｏを中心とする周方向へ回動可能に支持されている。シャッタ開閉環２０は図示しないモータにより該周方向へ正逆に回動させることが可能であり、シャッタ開閉環２０が回動することにより開閉ピン２１がガイド溝１７内を移動し、該ガイド溝１７の形状に従ってシャッタ羽根１３が回転支持軸１６を中心として回動して、固定撮影開口１４、１５の内側領域に進退する。
【００１０】
具体的には、図２のシャッタ全閉状態において反時計方向にシャッタ開閉環２０が回動すると、開閉ピン２１が円弧状をなすガイド溝１７の一端部側から他端部側へ移動し、３つのシャッタ開閉環２０が図３のように開かれる。図３のシャッタ全開状態（最大開口位置）では、撮影開口は固定撮影開口１４、１５の大きさによって決定される。シャッタ全開状態から、図３中の時計方向にシャッタ開閉環２０が回動すると、開閉ピン２１がガイド溝１７内を逆行移動して、３つのシャッタ羽根１３が閉じられる。すると、図２のシャッタ全閉状態となる。図２のシャッタ全閉状態と図３の全開状態の間では、３つのシャッタ羽根１３により形成される円形近似の開口が撮影開口となる。この３つのシャッタ羽根１３が形成する撮影開口の大きさは、各ガイド溝１７内での開閉ピン２１の位置制御、すなわちシャッタ開閉環２０の回動位置によって変化させることができる。
【００１１】
カバー１２には、シャッタ羽根１３の外径側を覆う位置に、光軸Ｏを中心とする周方向へ向けて３つの部分円筒壁２３が設けられている。３つの部分円筒壁２３は、該周方向に等間隔で設けられており、各部分円筒壁２３の間にはカバー１２の内径側と外径側を連通する開口２４が形成されている。カバー１２は、部分円筒壁２３を含む全体が、金属または合成樹脂材料から形成されている。
【００１２】
カバー１２の外周面には、３つの開口２４を塞ぐように、ゴム等の弾性材料からなる３つの弾性シート部材２５が設けられている。各弾性シート部材２５は、開口２４に沿う周方向に長い矩形状をなしており、光軸方向の後端部（図８にクロスハッチングを付した部分）がカバー１２の外周面に接着され、前端部は固定されずに自由になっている。弾性シート部材２５は、自由状態ではシャッタ支持体１１とカバー１２の外周面に密着して開口２４を完全に塞いでおり（図２、図３及び図５）、この３つの弾性シート部材２５と３つの部分円筒壁２３によってシャッタ支持体１１とカバー１２の間は遮光されており、撮影開口内へ有害光が入るのを防いでいる。
【００１３】
図３に示すように、シャッタ羽根１３が最大開口位置まで開くと、光軸Ｏを中心とする放射方向において、該シャッタ羽根１３のうち最も外径（光軸Ｏから遠い）側に位置する部分（以下、外縁部と称する）は、同放射方向における部分円筒壁２３の内周面位置よりも外径方向に突出する。ここで、シャッタ羽根１３の外縁部は部分円筒壁２３の間に形成した開口２４内に進入するので、シャッタ羽根１３は部分円筒壁２３と干渉することなく最大開口位置まで開くことができる。この最大開口位置では、シャッタ羽根１３の外縁部が弾性シート部材２５に軽く接触している。
【００１４】
シャッタ羽根１３を最大開口位置まで開く際に、慣性の働きによってシャッタ羽根１３が図３の位置よりもさらに開放方向に向けて移動（オーバーラン）する可能性がある。この場合、図４及び図７に示すように、シャッタ羽根１３の外縁部が弾性シート部材２５に当て付いて押圧し、弾性シート部材２５が外径方向に向けて若干弾性変形される。具体的には、弾性シート部材２５は光軸方向の後端部が固定されているため、前端部側が持ち上がるような態様で弾性変形する。この弾性シート部材２５の弾性変形によってシャッタ羽根１３の慣性移動を吸収し、シャッタ羽根１３の内径方向へのバウンドを防ぐことができる。なお、シャッタ羽根１３が弾性シート部材２５を持ち上げるときに、該弾性シート部材２５は開口２４に対して若干開かれるが、シャッタの作動時間は短く、また持ち上げられるのは弾性シート部材２５の一部のみであるため、遮光性能には実質的な影響はない。
【００１５】
このように、本実施形態のセクター装置では、シャッタ羽根１３の外側を覆う筒状の遮光部分のうち、最大開口位置へ移動した該シャッタ羽根１３の外縁部が当接する位置に弾性シート部材２５を設けたため、シャッタ周りの遮光性能とシャッタの位置制御は損なわずに、セクター装置の小型化、特に小径化を図ることができる。すなわち、従来はシャッタ周囲の筒状部全体が硬性材で形成されていたので、該筒状部とシャッタの干渉を避けるために該筒状部の内周面とシャッタの外縁部の間には、シャッタ全開時の慣性によるオーバーラン分を見越したクリアランスを設けていた。一方、本実施形態の弾性シート部材２５は、このようなクリアランスを設けず全開時にシャッタ羽根１３が当接しても、該シャッタ羽根１３のオーバーラン分は弾性シート部材２５の弾性変形により吸収して、シャッタ羽根１３の内径方向へのバウンドを防ぎ、シャッタ羽根１３の最大開口位置を制限することができる。したがって、本実施形態のセクター装置は、シャッタ羽根のオーバーラン分を見越した径方向のクリアランスが不要であり、小径化が可能になっている。
【００１６】
図９ないし図１２は、本発明のカメラのセクター装置の異なる実施形態を示している。この実施形態は、弾性シート部材２５’の固定領域が異なる以外は、図１ないし図８の実施形態と同じであり、共通する部材及び機能については説明を省略する。また、図２ないし図４と同様に、図１１では、手前側に位置するシャッタ支持体１１は図示していない。
【００１７】
先に説明した弾性シート部材２５と同様に、弾性シート部材２５’は周方向に長い矩形状をなしているが、弾性シート部材２５とは異なり、周方向の一端部（図１２にクロスハッチングを付した部分）がシャッタ支持体１１及びカバー１２の外周面に接着され、他端部が固定されずに自由となっている。よって、シャッタ羽根１３の外縁部が弾性シート部材２５’を押し込んだときには、図１０及び図１１に示すように、弾性シート部材２５’は固定されていない周方向の他端部側が持ち上がるような態様で弾性変形する。弾性シート部材２５’は、シャッタ羽根１３により押し込まれていないときには、シャッタ支持体１１とカバー１２の外周面に密着して開口２４を完全に塞いでいる（図９）。この実施形態でも、セクター装置の小径化を図ることができる。
【００１８】
以上、本発明の実施形態を説明したが、本発明はこの実施形態に限定されるものではない。例えば、上記実施形態では、部分円筒壁２３と弾性シート部材２５（弾性シート部材２５’）を別部材として形成しているが、シャッタ羽根１３の外側を塞ぐ筒状部全体を弾性材料によって形成してもよい。
【００１９】
また、実施形態のセクター装置はシャッタ羽根を搭載したタイプであるが、本発明は、セクター部材として絞羽根を備えたセクター装置についても適用可能である。
【００２０】
また、実施形態における弾性シート部材２５または弾性シート部材２５’は、シャッタ支持体１１とカバー１２に対して一部が固定され他の部分は固定されていないが、弾性シート部材２５（２５’）の全周を固定させ、該弾性シート材の弾性変形時において開口２４との間に全く隙間を生じない態様としてもよい。これにより、より高い遮光性を得ることができる。この態様では、セクター部材の慣性を確実に吸収できるように、弾性シート部材をより柔軟な材料で形成することが好ましい。
【００２１】
【発明の効果】
本発明によれば、固定撮影開口と、この固定撮影開口内に進退して撮影開口の大きさを変化させるセクター部材と、このセクター部材の径方向外側に位置し撮影開口への有害光の入射を防ぐ筒状部とを有するカメラのセクター装置において、その小型化、特に小径化を図ることができる。
【図面の簡単な説明】
【図１】本発明によるカメラのセクター装置の一実施形態を示す分解状態の斜視図である。
【図２】図１のセクター装置に設けたシャッタ羽根の全閉状態を示す正面図である。
【図３】図１のセクター装置に設けたシャッタ羽根の全開状態を示す正面図である。
【図４】図３のシャッタ全開状態からさらに、慣性で移動するシャッタ羽根が弾性シート部材を押圧した状態を示す正面図である。
【図５】図３のV‐V線に沿う組立状態の断面図である。
【図６】図３のVI‐VI線に沿う組立状態の断面図である。
【図７】図４のVII‐VII線に沿う組立状態の断面図である。
【図８】図２の矢印VIII側から見た弾性シート部材付近の展開図である。
【図９】本発明によるカメラのセクター装置の第二の形態における、シャッタ羽根の全開状態を示す組立状態の断面図である。
【図１０】図９のシャッタ全開状態からさらに、慣性で移動するセクターが弾性シート部材を押圧した状態を示す組立状態の断面図である。
【図１１】図１０の弾性シート部材押圧状態におけるセクター装置の正面図である。
【図１２】図１１の矢印XII側から見た弾性シート部材付近の展開図である。
【符号の説明】
１１  シャッタ支持体（本体）
１２  カバー（本体）
１３  シャッタ羽根（セクター部材）
１４  １５  固定撮影開口
１６  回転支持軸
１７  ガイド溝
２０  シャッタ開閉環（セクター開閉環）
２１  開閉ピン
２３  部分円筒壁
２４  開口
２５  ２５’  弾性シート部材
Ｏ  光軸
【図１】
0003793428.tif 000002
【図２】
0003793428.tif 000003
【図３】
0003793428.tif 000004
【図４】
0003793428.tif 000005
【図５】
0003793428.tif 000006
【図６】
0003793428.tif 000007
【図７】
0003793428.tif 000008
【図８】
0003793428.tif 000009
【図９】
0003793428.tif 000010
【図１０】
0003793428.tif 000011
【図１１】
0003793428.tif 000012
【図１２】
0003793428.tif 000013